(57)【要約】【課題】  硬貨およびトレイへの接触を最小限としながらコイントレイ上の硬貨を授受できるコイントレイを提供すること。【解決手段】  本考案のコイントレイ１００は、少なくとも硬貨を載せるトレイ１０１と、トレイ１０１の両端部の下側に固定された指ポケット１０２ａ、１０２ｂと、トレイ１０１をスイング可能に保持するスイング機構１０３と、トレイ１０１およびスイング機構１０３を載せるトレイ台１０６とを備えており、硬貨１２０およびトレイ１０１への接触を最小限としながらコイントレイ上の硬貨を授受できる。【選択図】  図３
0003232808.tif 000002
【実用新案登録請求の範囲】
【請求項１】
少なくとも硬貨を載せるトレイと、
前記トレイの両端部の下側に固定された指ポケットと、
前記トレイをスイング可能に保持するスイング機構と、
前記トレイおよびスイング機構を載せるトレイ台と
を備えるコイントレイ。
【請求項２】
前記スイング機構は、顧客側、店員側のいずれか一方又は両方にスイング可能である、請求項１に記載のコイントレイ。
【請求項３】
前記トレイからスイング方向に延びるサブトレイを備える、請求項1
または２記載のコイントレイ。
【請求項４】
前記スイング機構は、前記スイング方向に対して回転する方向に対しても変位可能である、請求項１〜３のいずれか１項に記載のコイントレイ。
【考案の詳細な説明】
【技術分野】
【０００１】
本考案は、硬貨およびトレイへの接触を最小限としながらコイントレイ上の硬貨を授受できるコイントレイに関する。
【背景技術】
【０００２】
従来、買い物や現金支払いに伴う釣銭の授受は、直接手から手への釣り銭の受け渡しが行われてきた。近年、新型コロナウィルスの蔓延に伴い、人との接触をできるだけ避けることが推奨されている。これに伴い、スパーマーケット等の小売店や現金を授受するサービス業のレジでは、釣銭として紙幣や硬貨を受け渡しする場合、コイントレイに釣銭を乗せ、顧客は、コイントレイ上の紙幣や硬貨を指で触れて受け取る態様が多くなっている。
【０００３】
紙幣が有れば紙幣ごと硬貨を回収することもできるが、多くの場合、紙幣、硬貨は、紙幣が先に渡され、硬貨は硬貨だけで渡されることが多い。
【０００４】
このような釣り銭の授受では、顧客は、コイントレイ上の硬貨をコイントレイに触れながら指で一つ取り上げ、手の上に回収し、その後財布やポケットに収納することになる。このような受け渡しは、一つ一つのコインに触れなければならないことから従来に比べて時間がかかり、レジにおける顧客滞在時間が延び、営業効率を低下させることにもつながっている。
【０００５】
このため、キャッシュレス決済も推奨されているが、高齢者や未成年者の場合、キャッシュレス決済ができない場合もある。
【０００６】
また、近年若い女性の間ではネイルアートを嗜むことが普通になってきており、コイントレイ上の硬貨をつまみ上げる動作によりネイルアートが損傷する等の問題も考えられる。
【０００７】
従来から種々のコイントレイが提案されており、例えば、実用新案登録第３１９４７０号（特許文献１）では、コインの確認と授受を容易・迅速に行うことができるコイントレイが提案されている。特許文献１に記載されたコイントレイは、コイン清算確認トレイの横にコイン取得用トレイを設け、コイン取得用トレイの一側面に設けたU字型溝に沿って支払い側、顧客側が硬貨を受け取ることを可能としている。
【０００８】
特許文献１に記載されたコイントレイは、コイン清算確認トレイ上からコイン取得用トレイに硬貨を移動させる操作、その後コイン取得用トレイ上のU字型溝に沿って硬貨に触れながら硬貨を滑らせるという２つの操作が必要とされる。この結果顧客ばかりではなく店員も両手の使用を余儀なくされ、また指先の保護という観点から、十分なものではなかった。
【先行技術文献】
【特許文献】
【０００９】
【特許文献１】実用新案登録第３１９４７０号公報
【考案の概要】
【考案が解決しようとする課題】
【００１０】
本考案は、上記従来技術の問題点に鑑みてなされたものであり、硬貨およびトレイへの接触を最小限としながらコイントレイ上の硬貨を授受できるコイントレイを提供することを目的とする。
【課題を解決するための手段】
【００１１】
本考案の実施形態では、少なくとも硬貨を載せるトレイと、
前記トレイの両端部の下側に固定された指ポケットと、
前記トレイをスイング可能に保持するスイング機構と、
前記トレイおよびスイング機構を載せるトレイ台と
を備えるコイントレイが提供される。
【００１２】
前記スイング機構は、顧客側、店員側のいずれか一方又は両方にスイング可能である。
【００１３】
前記トレイからスイング方向に延びるサブトレイを備えることができる。
【００１４】
前記スイング機構は、前記スイング方向に対して回転する方向に対しても変位可能である。
【考案の効果】
【００１５】
本考案によれば、硬貨およびコイントレイへの接触を最小限としながらコイントレイ上の硬貨を授受できるコイントレイを提供することができる。
【図面の簡単な説明】
【００１６】
【図１】図１は、本考案のコイントレイ１００の概略図である。
【図２】図２は、本実施形態のコイントレイ１００の上面構造を示した図である。
【図３】図３は、コイントレイ１００のスイング方向から見た側面図である。
【図４】図４は、第２の実施形態のコイントレイ２００の概略図である。
【図５】図５は、本実施形態のトレイ１０１の他の実施形態を示す図である。
【図６】図６は、スイング機構１０３の変形例を示した図である。
【考案を実施するための形態】
【００１７】
以下、本考案を実施形態により説明するが、本考案は実施形態に限定されるものではない。図１は、本考案のコイントレイ１００の概略図を示す。本考案のコイントレイ１００は、レジ台上に載置して使用されることを想定しているが、本考案のコイントレイ１００の使用される場所には限定はない。本考案のコイントレイ１００は、紙幣・硬貨などを載せるためのトレイ１０１と、トレイの下側の両側に固定された指ポケット１０２ａ、１０２ｂと、トレイをスイング可能に保持するスイング機構１０３とを備えている。
【００１８】
トレイ１０１は、硬貨などを載せるための適切な大きさとされていて、上面には凹部１０１ｂが形成されており、下面は平坦な形状とされている。また、トレイ１０１の下面両側に固定された指ポケット１０２ａ１０２ｂは、店員又は顧客が自分の指１１０を差し入れてトレイ１０１を自分の側に傾けることを容易にしている。さらにスイング機構１０３は、固定部材１０４を介してトレイをスイング可能に保持している。顧客又は店員が、指ポケット１０２ａまたは１０２ｂに自らの指１１０を差し入れて、自分の側に下げることで、スイング機構１０３が傾き、片手だけの使用でトレイ１０１上の硬貨を自分の掌に移動させることができる。
【００１９】
スイング機構１０３は、固定部材１０５を介してトレイ台１０６に固定されており、さらにトレイ台１０６は、底板１０８に取付けられていて、底板１０８がレジ台に置かれ、店舗のレジでの釣り銭の授受を効率的にしている。なお固定部材１０４，１０４は、トレイ１０１、スイング機構１０３がトレイ１０１およびトレイ台１０６に直接固定できる場合には、省略することができる。
【００２０】
トレイ台１０６は、好ましい実施形態では中空の箱形状とされていて、その紙面に垂直な方向の両側には持ち運びを容易にするための開口１０７が形成されている。
【００２１】
図１に示した実施形態では、スイング機構１０３は、４つの洗濯挟みを上下に互い違いに配置し、これを紙面に垂直な方向に２セット配置して簡易的にスイング機構１０３を構成している。しかしながらスイング機構１０３は、後述するように、スイング可能にトレイ１０１を保持できる限り特に限定はない。
【００２２】
また、本実施形態では、顧客側および店員側の両方にスイング可能とされているので、片手の操作だけで顧客の他、店員も効率的に硬貨の回収が可能となる。
【００２３】
図２は、本実施形態のコイントレイ１００の上面構造を示した図である。コイントレイ１００は、底板１０８上に固定されており、底板１０８は、顧客または店員によるスイング動作によりコイントレイ１００が傾いてしまわない程度の最小の大きさとされていて、安定なスイング動作を可能としている。なお、底板１０８は、レジ台に両面テープ止め、ねじ止め、クランプ等による取付など着脱可能に据え付けることもできる。
【００２４】
また、トレイ１０１の下面に固定された指ポケット１０２ａ、１０２ｂは、トレイ１０１の両側からわずかに突出する位置にその端部が露出されていて、顧客・店員が指ポケット１０２ａ、１０２ｂの存在を確認し易くしている。硬貨１２０は、トレイ１０１の上に載置され、顧客や店員が指ポケット１０２ａ、１０２ｂに指を差し入れ、手を下側に移動させることで、トレイ１０１を自分の方に傾け、トレイ１０１上のコインを、矢線Ａまたは矢線Ｂの方向に移動させ、硬貨１２０を受け取ることができる。
【００２５】
本考案のコイントレイ１００の動作を説明すると、先ず、顧客が例えば購入代金として紙幣や硬貨をトレイ１０１上に載せる。紙幣がある場合、紙幣と共に硬貨を移動できる場合には、コイントレイ１００をスイングさせる必要はないので、スイング機構１０３は、スイング動作しない場合の硬貨などの授受を安定して行うことができるように、トレイ１０１を保持している。
【００２６】
一方、硬貨を授受する場合、店員は、矢線Ｂが示された方向から掌を上に下状態で指を指ポケット１０２ｂに差し入れ、そのまま手を下側に移動させる。トレイ１０１の上面は、硬貨などの移動を妨げない程度に平滑で滑りが良く形成されている。このため、トレイ１０１がスイング機構１０３の動作に応じて店員側に傾斜すると、トレイ１０１上の硬貨１２０は、矢線Ｂの方向に移動しそのまま店員の指を揃えた状態の掌に乗る。この際両手の使用は不要である。
【００２７】
一方、顧客が釣り銭を受け取る場合、顧客は、掌を上に向けた状態で指ポケット１０２ａに指を差し入れる。そして店員の動作と同様に、自分の手を下側に移動させると、トレイ１０１上の硬貨１２０が、矢線Ａの方向に滑り、顧客が指を揃えた状態で待機している掌に移動する。
【００２８】
以上説明したように、本考案のコイントレイ１００は、顧客・店員とも最小限の硬貨およびコイントレイ１００への接触により、硬貨の授受を可能としている。また、トレイ１０１の下側に指ポケット１０２ａ、１０２ｂを配置していることから、顧客・店員等の手指が安定してトレイ１０１に配置されるため、不意な動きによる不具合も防止できる。
【００２９】
なお、本実施形態では、トレイの上面を滑りやすくする目的でシリコンコーティング、フッ素樹脂コーティング等を施したトレイを使用することができる。
【００３０】
さらに、顧客または店員がコイントレイ１００に接触する前に指を消毒する等することにより、指ポケット１０２ａ、１０２ｂの衛生性が担保できる。また定期的に店員がアルコール消毒などを行うこともできる。さらに他の実施形態では、スイング動作に連動してアルコール消毒用のボトルからアルコールその他の消毒液を指ポケット１０２ａ、１０２ｂの領域に噴霧するようにボトルおよびノズルを配置することもできる。
【００３１】
図３は、コイントレイ１００のスイング方向から見た側面図である。コイントレイ１００は、固定部材１０４，１０５の間にスイング機構１０３が固定されており、図３では、スイング機構１０３および上側の固定部材１０４が指ポケット１０２ａの紙面奥側に配置されているため、破線で示してある。
【００３２】
また、トレイ台１０６は、重量・強度・デザイン性を考慮して中空とされていて、中空部分１０６ａがハッチングで示されている。また、この中空部分１０６ａは、その内部に消毒液の小型ボトル等を配置しておく空間としても利用できる。この実施形態では、ユーザが硬貨などを受け取るとその付近に露出した消毒液ノズルに触れて消毒液を出し、直ちに手指の消毒ができるようにしておくことができる。
【００３３】
図４は、第２の実施形態のコイントレイ２００の概略図である。図４（ａ）は、上面図、図４（ｂ）は、側面図である。図４に示した実施形態のコイントレイ２００は、トレイ１０１に対してサブトレイ１３０が顧客側に固定された態様である。コイントレイ２００は、トレイ１０１とサブトレイ１３０とを有することを除き、第１の実施形態と同様の構成であるため、トレイ１０１、サブトレイ１３０の構成を除き詳細な説明は省略する。
【００３４】
サブトレイ１３０は、トレイ１０１に顧客側に向いたサブトレイ１３０が追加されて、サブトレイ１３０は、トレイ１０１から外側に延びている。サブトレイ１３０の上面内側には、窪み１３０ｂが形成されていて、硬貨の移動範囲を制限できるようになっている。サブトレイ１３０は、顧客の掌に対して硬貨が滑り落ちる範囲を制限し、顧客の掌から硬貨が横に落ちないように規制する機能を提供している。
【００３５】
なお、図４では、顧客側にサブトレイ１３０を追加した実施形態を説明したが、第２の実施形態のコイントレイ２００においても店員側に同様のサブトレイ１３０を形成し、顧客側・店員側の両方にスイング可能に構成することもできる。
【００３６】
図５は、本実施形態のトレイ１０１の他の実施形態を示す。図５に示したトレイ１０１は、概ね楕円形を有しており、その上面上側に硬貨などの横方向への移動を制限するための凹部１０１ｂが形成されている。図５に示したトレイ１０１は、第２の実施形態のコイントレイ２００と同様に、硬貨の横方向への移動を制限する機能を付加したものであり、図５の水平線を中心として矢線方向にスイング可能とされている。
【００３７】
図６は、スイング機構１０３の変形例を示した図である。図６（ａ）が第１実施形態のコイントレイ１００、２００において説明したスイング機構１０３である。
【００３８】
また、図６（ｂ）に示すスイング機構１０３は、Ｈ型の板バネによりトレイ１０１が保持される実施形態であり、板バネの厚さおよび長さに応じてスイングさせる場合の力を調製することができる。また、板バネは、紙面手前側から奥側へと複数の板バネを配置することで、スイング方向に直交する方向への傾きにも対応することができる。
【００３９】
なお図６（ｂ）の実施形態における板バネは、引張コイルバネとすることができる。板バネに代えて引張コイルバネを使用する場合にも紙面手前側から奥側に向かって複数の引張コイルバネを並列配置することで、スイング機能を担保すると共に、スイング方向に直交する力が加わった場合の捻じれにも対応することができる。
【００４０】
また図６（ｃ）の実施形態のスイング機構１０３は、Ｚ字型のバネから形成されている。図６（ｃ）の実施形態のスイング機構１０３は、第２の実施形態のように、例えば顧客側の一方側にスイングさせる場合に使用することができる。図６（ｃ）の実施形態においてもＺ型の板バネは、紙面手前側から奥側に向かって複数並列に配置することができる。
【００４１】
図６に示した各スイング機構は、スイングさせるときの力や左右への力のかかり具合などに応じて適宜選択することができる。例えば、図６（ｂ）の板バネを使用する実施形態で、Ｈ型の板バネではなく、単純な板バネを使用し、この板バネを、固定部材１０４、１０５に形成したスリットにはめ込み固定して、スイング機構１０３とすることもできる。
【００４２】
以上、本考案を実施形態に即して説明してきたが、本考案は実施形態に限定されることは無く、当業者が相当でいる範囲で同様の作用効果を奏する範囲内で、追加、変更、削除の他、他の実施形態が可能である。
【符号の説明】
【００４３】
１００、２００…コイントレイ
１０１…トレイ
１０２ａ，１０２ｂ…指ポケット
１０３…スイング機構
１０４、１０５…固定部材
１０６…トレイ台
１０７…開口
１１０…顧客（店員）の指
【図１】
0003232808.tif 000003
【図２】
0003232808.tif 000004
【図３】
0003232808.tif 000005
【図４】
0003232808.tif 000006
【図５】
0003232808.tif 000007
【図６】
0003232808.tif 000008
【手続補正書】
【提出日】令和3年5月12日(2021.5.12)
【手続補正１】
【補正対象書類名】実用新案登録請求の範囲
【補正対象項目名】全文
【補正方法】変更
【補正の内容】
【実用新案登録請求の範囲】
【請求項１】
少なくとも硬貨を載せるトレイと、
前記トレイの両端部の下側に固定された指ポケットと、
前記トレイをスイング可能に保持するスイング機構と、
前記トレイおよびスイング機構を載せるトレイ台と
を備えるコイントレイ。
【請求項２】
前記スイング機構は、顧客側、店員側のいずれか一方又は両方にスイング可能である、請求項１に記載のコイントレイ。
【請求項３】
前記トレイからスイング方向に延びるサブトレイを備える、請求項1
または２記載のコイントレイ。
【請求項４】
前記スイング機構は、スイング方向に対して回転する方向に対しても変位可能である、請求項１〜３のいずれか１項に記載のコイントレイ。
【手続補正２】
【補正対象書類名】明細書
【補正対象項目名】００１４
【補正方法】変更
【補正の内容】
【００１４】
前記スイング機構は、スイング方向に対して回転する方向に対しても変位可能である。